(57)【特許請求の範囲】
【請求項１】
有機物を収納し、微生物により有機物を分解処理する処理槽と、該処理槽を被う本体ケースと、前記処理槽に形成された吸込口と、前記本体ケースに形成され、外気を取り入れる吸気口と、前記本体ケースと処理槽との間に形成され、吸込口と吸気口とを連通する空気流路と、前記処理槽内の有機物が堆積される位置に対応する処理槽外面に装着され、処理槽内を加熱する下ヒータ部と、前記処理槽内の有機物より上方位置に対応する処理槽外面に装着され、処理槽内を加熱する上ヒータ部とを備え、前記下ヒータ部及び上ヒータ部を空気流路に臨ませたことを特徴とする有機物処理装置。
【発明の詳細な説明】
【０００１】
【産業上の利用分野】
本発明は、厨芥などの有機物を微生物等により処理する有機物処理装置に関する。
【０００２】
【従来の技術】
従来、特開平７−２４４３５号公報（Ｂ０９Ｂ  ３／００）に示される如く、処理槽内部に設けた加熱手段により処理槽内を有機物を分解処理する微生物の活性化に最適な温度に維持して、処理媒質に培養される微生物により厨芥等の有機物を分解処理する有機物処理装置が知られている。
【０００３】
この有機物処理装置は加熱手段を処理槽内の略中央部に設けて、処理槽内部が微生物の活性化に最適な温度になるように制御しているが、冬季等の外気温度が低い時には、外気の影響で処理槽壁面近傍では温度が低下し、有機物の処理能力が低下する欠点がある。これを解決するために、処理槽壁近傍で最適な温度になるように加熱手段の能力を上げることが考えられるが、有機物の分解により生じる熱が加わり、処理槽内中央部は高温となり、微生物が死滅する問題が生じる。
【０００４】
さらに、微生物の活性化には酸素の供給も必要であるが、従来技術は自然換気しか行われていないため、酸素の供給が不足する欠点もある。これを解決するために送風ファン等を装着して強制的に外気を処理槽内に取り入れる方法が考えられるが、外気温度が低い時には処理槽内温度が低下して、処理能力が低下する問題が生じる。また、取り入れた外気を加熱手段を設けて加熱することが考えられるが、構造が複雑化すると共に、部品点数及び価格が増加する問題が生じる。
【０００５】
【発明が解決しようとする課題】
本発明は、上記欠点に鑑みなされたもので、簡単な構成で外気温度が低い時でも有機物処理能力低下を防止することができる有機物処理装置を提供することを課題とする。
【０００６】
【課題を解決するための手段】
上記課題を解決するため、本発明は、有機物を収納し、微生物により有機物を分解処理する処理槽と、該処理槽を被う本体ケースと、前記処理槽に形成された吸込口と、前記本体ケースに形成され、外気を取り入れる吸気口と、前記本体ケースと処理槽との間に形成され、吸込口と吸気口とを連通する空気流路と、前記処理槽内の有機物が堆積される位置に対応する処理槽外面に装着され、処理槽内を加熱する下ヒータ部と、前記処理槽内の有機物より上方位置に対応する処理槽外面に装着され、処理槽内を加熱する上ヒータ部とを備え、前記下ヒータ部及び上ヒータ部を空気流路に臨ませたことを特徴とする。
【００１２】
【実施例】
本発明の一実施例を図面に基づいて以下に詳述する。
【００１３】
１はおがくず等の木質細片及び活性炭からなる担体２を収納する上面開口の処理槽で、底部を断面略半円形状とし、処理槽１内の担体２と後述する循環路との間の空間に空気層３を形成している。
【００１４】
４は前記処理槽１内の有機物が堆積される位置に対応する処理槽１外面に装着され、後述する空気流路に臨ませた第１面状ヒータで、処理槽１底部外面近傍に設置された第１サーミスタ５により、処理槽１内に投入された厨芥等の有機物を摂氏３０度〜４０度に維持するように制御されている。
【００１５】
６は前記空気層３に対応する処理槽１外面に装着され、空気流路に臨ませた第２面状ヒータで、後述する循環路に設置された第２サーミスタ７により、空気層３を摂氏２０度〜２５度に維持するように制御されている。
【００１６】
８は前記処理槽１底面の最下部に形成された開口で、開口縁を下方に向かって延設している。９は前記処理槽１側面の、後述する排出筒１９の近傍に設けた吸込口で、処理槽１外面と後述する本体ケースとの間に形成した空気流路を介して後述する吸気口１２に連通している。
【００１７】
１０は合成樹脂製の下ケースで、前記処理槽１を載置するようになっており、後述する上ケース４５とで本体ケースを構成している。１１は前記下ケース１０両側に形成された脚部で、脚部１１によって下ケース１０底面と設置面の間に間隔を形成すると共に、脚部１１間には、処理槽１底面の開口８に対応する位置を開口している。
【００１８】
１２は前記下ケース１０背面側に形成された吸気口である。
【００１９】
１３は前記処理槽１の一側面に装着される金属製の第１補強板で、上端を処理槽１上面に螺子固定すると共に、下端を下ケース１０に螺子固定するようになっている。１４は前記処理槽１の前記一側面と相対向する他側面に固定される金属製の第２補強板で、下端を下ケース１０に螺子固定するようになっており、前記第１補強板１３及び第２補強板１４を下ケース１０に螺子固定することにより処理槽１と下ケース１０とを固定するようになっている。
【００２０】
１５は前記処理槽１の第１補強板１３及び第２補強板１４が装着された両側面と隣り合う両側面の略中央部に固定される第１補強枠で、第１補強板１３及び第２補強板１４に螺子固定されて処理槽１を補強し、後述する攪拌体３０の攪拌により処理槽１側壁が外方向へ拡がるのを防止するようになっている。１６は前記処理槽１の前面側下部に配設される第２補強枠で、第１補強板１３、第２補強板１４及び下ケース１０に固定され、処理槽１の下ケース１０への固定を行うようになっている。
【００２１】
１７は前記処理槽１の後壁上部に、処理槽１の左右方向にわたって形成された凹所で、該凹所１７の両端部に、処理槽１に連通する吸込筒１８及び排出筒１９を下方に向かって延設している。前記排出筒１９は処理槽１後壁により前後に区画されており、後壁より前方部分が処理槽１内に連通し、後述する循環路の一部を構成すると共に、後壁より後方部分は、処理槽１背面に形成された排気路２０を介して、下ケース１０に形成された排気口２１に連通している。
【００２２】
２２は前記凹所１７底面との間に空間を形成した状態で凹所１７上方を被い、凹所１７に螺子固定される基板収納ケースで、第１面状ヒータ４、第２面状ヒータ６、後述するファン２４及び電動機２７を制御する制御回路を載置した制御基板２３を収納しており、前記凹所１７と基板収納ケース２２との間の空間、吸気筒１８及び排出筒１９の前方部分により処理槽１内の空気を循環させる循環路を構成している。
【００２３】
２４は前記排出筒１９に装着されたファンで、該ファン２４の駆動により空気層３の空気が吸込筒１８から吸い込まれ、凹所１７と基板収納ケース２２との間の空間を介して排出筒１９から排出されるが、前記排出筒１９は処理槽１後壁により前後に区画されているため、吸気筒１８から吸引された空気は循環路を介して処理槽１を循環すると共に、この空気の一部が排出筒１９の後方部分から排気路２０を介して排気口２１から外部へ排気される。
【００２４】
２５は前記吸込筒１８に装着されたフィルターで、後述する攪拌体３０の攪拌により舞い上がるほこり等が第２サーミスタ７やファン２４に付着するなどの不都合を防止している。
【００２５】
２６は前記処理槽１上部に吸込筒１８に隣接して凹設された凹部で、電動機２７が配設されている。前記電動機２７は、減速機構部２８により電動機２７の回転を減速して後述する攪拌体３０を回転駆動するようになっている。２９は前記減速機構部２８を被う合成樹脂製のカバーで、減速機構部２８の歯車の軸を支持すると共に、減速機構部２８からの音の漏れを抑制している。
【００２６】
３０は前記処理槽１内に回転自在に配設された攪拌体で、処理槽１両側面を貫通し、第１補強板１３及び第２補強板１４に固定された軸受３１に回転自在に軸支された攪拌軸３２と、攪拌軸３２に固定される複数の攪拌翼３３とから構成されている。
【００２７】
３４は前記下ケース１０に固定される合成樹脂製のガイド部材で、略Ｌ字状に形成されている。３５は前記ガイド部材３４と処理槽１の開口８縁との間に形成された第１ガイド部で、後述するシャッター３７側縁を挟持するようになっている。３６は前記ガイド部材３４に形成された第２ガイド部で、後述する容器４３の鍔部４４を支持するようになっている。
【００２８】
３７は前記第１ガイド部３５に摺動自在に装着され、前記処理槽１底面の開口８を開閉自在に閉成するシャッターで、高耐食性金属材料、本実施例ではステンレスからなる平板状の閉塞体３８と、合成樹脂製の把手３９とから構成されている。４０は前記把手３９に形成された収納部で、磁石４１が収納されている。
【００２９】
４２は前記下ケース１０に設けられたリードスイッチで、前記磁石４１の磁力によってオンオフ操作され、シャッター３７を前方向に引き出し、処理槽１底部の開口８を開放した際に、電動機２７を停止するようになっている。
【００３０】
４３は前記第２ガイド部３６によって処理槽１の開口８下方位置に支持され、担体２の交換時、担体２を貯留する透明な合成樹脂製の容器で、周縁に鍔部４４を有している。前記容器４３は前方側の鍔部４４の中央部分を下方に下げ、容器４３の引出時に、シャッター３７の把手３９が当接しないようになっている。
【００３１】
４５は前記処理槽１を被う合成樹脂製の上ケースで、両側面下部及び後面下部を下ケース１０に螺子固定し、下ケース１０と上ケース４５とで本体ケースを構成するようになっている。
【００３２】
４６は前記上ケース４５に装着された把手部で、処理槽１及びカバー２９に螺子固定されている。４７は前記上ケース４５上面に形成された投入開口で、開口縁を処理槽１内に延設している。４８は前記処理槽１の上面開口縁に装着されたシール体で、発泡樹脂にて形成され、投入開口４７縁に当接し、悪臭の漏れと虫等の侵入を防止している。
【００３３】
４９は前記上ケース４５上面に揺動自在に支持された蓋体で、投入開口４７を開閉自在に閉塞するようになっている。５０は前記蓋体４９裏面に装着された発泡樹脂製のシール体で、上ケース４５天面の投入開口４７周縁に当接し、処理槽１内の悪臭が投入開口４７を介して外部に漏れたり、投入開口４７を介して処理槽１内に虫が侵入するのを防止している。
【００３４】
５１は前記上ケース４５上面に形成された表示部で、電動機２７及びファン２４等の作動状態を表示するようになっており、蓋体４９に形成された透視窓５２を介して蓋体４９が閉塞されたままの状態で作動状態を確認することができるようになっている。
【００３５】
而して、蓋体４９を開放し、投入開口４７から処理槽１内に厨芥等の有機物を投入し、蓋体４９を閉成する。蓋体４９の閉成を図示しない検出手段が検出し、その出力に基づいて制御回路が電動機２７、第１面状ヒータ４、ファン２４及び第２面状ヒータ６に通電する。
【００３６】
電動機２７及び第１面状ヒータ４への通電により、攪拌体３０が回転して担体２と有機物とを混合すると共に、処理槽１内温度を微生物等の活性化に最適な範囲に維持して、担体２に培養される微生物等により有機物を二酸化炭素と水に分解して堆肥化する。
【００３７】
また、ファン２４及び第２面状ヒータ６への通電により、空気層３の空気を循環路を介して加熱しながら循環させ、有機物の分解により生じる水分を気化し、担体２の温度及び含水量を微生物等の活性化に最適な範囲に維持すると共に、微生物の活性化に必要な酸素を供給する。
【００３８】
処理槽１内を循環する空気の一部は、排出筒１９の後方部分から排気路２０及び排気口２１を介して本体ケース外へ排気され、処理槽１内の空気が過湿状態となるのを防止し、処理槽１内の水分除去効率を向上させると共に、微生物の活性化を図り、有機物処理能力を向上させる。
【００３９】
処理槽１内の空気が外部へ排気されるのに伴い、下ケース１０に形成した吸気口１２から本体ケース内に外気を取り入れ、処理槽１側面に形成された吸込口９から処理槽１内に供給されるが、本体ケース内に取り入れた空気は、第１面状ヒータ４及び第２面状ヒータ６により加熱され、しかも、処理槽１内を循環する空気と混合するので、冬季等の外気温度が低い時でも、処理槽１内の温度を大きく低下させることがなく、有機物処理能力の低下を防止することができる。
【００４０】
【発明の効果】
本発明によれば、処理槽外面から有機物を加熱する下ヒータ部によって、処理槽内の温度を微生物等の活性化に最適な範囲に維持でき、担体に培養される微生物等により有機物を二酸化炭素と水に分解して堆肥化する。また、処理槽内の有機物より上方の空気を加熱して有機物の加熱を促進する上ヒータ部によって、有機物の分解により生じる水分を気化し、担体の温度及び含水量を微生物等の活性化に最適な範囲に維持できる。さらに、下ヒータ部と上ヒータ部を兼用して、吸気口から取り入れた外気を加熱することができ、簡単な構成で、部品点数及び価格を増加することなく、冬季等の外気温度が低い時でも有機物処理能力の低下を防止することができる等の効果を奏する。
【図面の簡単な説明】
【図１】本発明の一実施例の断面図である。
【図２】同他の方向から見た断面図である。
【図３】同シャッターの要部断面図である。
【図４】同底面図である。
【符号の説明】
１                    処理槽
４                    第１面状ヒータ
９                    吸込口
１２          吸気口
【図１】
0003594361.tif 000002
【図２】
0003594361.tif 000003
【図３】
0003594361.tif 000004
【図４】
0003594361.tif 000005